(57)【要約】【課題】先端にフィルタを取り付けたシリンジを用いて液体の濾過を行う際に、シリンジがフィルタから外れることを防止する。【解決手段】シリンジ濾過作業用補助具１０は、液体中に混入している異物を、先端に少なくとも１個のフィルタが取り付けられたシリンジ２１を用いて濾過する際に用いられ、支持部材１１と、支持部材１１に設けられた上側規制部材１２及び下側規制部材１３とを備えている。上側規制部材１２は、フィルタ２２，２３が取り付けられたシリンジ２１のフランジ２１ａの上面と係合してその移動を規制するとともに、シリンジ２１に挿入されているプランジャ２４の一部が収容される収容溝１２ａを有する。下側規制部材１３は、シリンジ２１に取り付けられたフィルタ２２の下面と係合してその移動を規制するとともに、フィルタ２２の出口ノズル２２ａの一部が収容される収容溝１３ａを有する。【選択図】図１
2012055873.tif 000002
【特許請求の範囲】
【請求項１】
液体中に混入している異物を、先端に少なくとも１個のフィルタが取り付けられたシリンジを用いて濾過する際に用いるシリンジ濾過作業用補助具であって、
支持部材と、
前記支持部材に設けられ、前記フィルタが取り付けられたシリンジのフランジの上面と係合してその移動を規制するとともに、前記シリンジに挿入されているプランジャの一部が収容される収容溝を有する上側規制部材と、
前記支持部材に設けられ、前記シリンジに取り付けられた前記フィルタの下面と係合してその移動を規制するとともに、前記フィルタの出口ノズルの一部が収容される収容溝を有する下側規制部材と
を備えているシリンジ濾過作業用補助具。
【請求項２】
前記支持部材には、前記シリンジに取り付けられたフィルタの前記シリンジとの接続部の側面と係合してその横方向への移動を規制する接続部側面規制部材が設けられている請求項１に記載のシリンジ濾過作業用補助具。
【請求項３】
前記支持部材は、前記シリンジを支持する状態で自立可能な形状に形成されている請求項１又は請求項２に記載のシリンジ濾過作業用補助具。
【発明の詳細な説明】
【技術分野】
【０００１】
本発明は、シリンジ濾過作業用補助具に係り、詳しくは試液等の液体中に混入している異物を、先端にフィルタが取り付けられたシリンジを用いて濾過する際に用いるシリンジ濾過作業用補助具に関する。
【背景技術】
【０００２】
各種化学分析の前処理として、試液等の液体中に混入している異物を除去するため、フィルタを通した後にそれらの液体を用いることが行われる。特に少量の試液を扱う場合、市販のシリンジに試液を吸入し、シリンジの先端に市販のフィルタを取り付け、シリンジ内に挿入されるプランジャによりに試液を押し出す方法が用いられる。
【０００３】
多数の試液を扱う場合、この作業を繰り返さなければならず、手数を要すると共に多くの力を必要とする肉体労働とならざるを得ない。さらに、この作業中の加圧によりフィルタが外れる場合もあり、その際には試液のロスに繋がる。
【０００４】
従来、図５に示すように、フレーム５０内にシリンジ５１、フィルタ５２及び濾液受け容器５３を複数個配置し、プランジャ５４の上部を手動ねじ機構を有する押出し器５５により加圧濾過する装置が提案されている（特許文献１参照）。フレーム５０は、シリンジ５１及び濾液受け容器５３が挿入される開口を有する保持棚５６，５７と、フィルタ５２を支持するフィルタ支持棚５８とを備えている。
【先行技術文献】
【特許文献】
【０００５】
【特許文献１】特開２００７−１６０２０３号公報
【発明の概要】
【発明が解決しようとする課題】
【０００６】
プランジャ５４がシリンジ５１内に押し込まれることにより、試液がフィルタ５２を通過して濾過される際に、フィルタ５２における抵抗が大きくなり、シリンジ５１内及びフィルタ５２内の圧力が上昇する。特許文献１の装置では、フィルタ５２はフィルタ支持棚５８により下面が支持されているが、シリンジ５１は保持棚５６により周面が支持されており、上方への移動が規制された状態にはない。そのため、フィルタ５２内の圧力上昇が大きくなると、シリンジ５１が上方へ移動して、シリンジ５１がフィルタ５２から外れ、試液が飛散する場合がある。試液が飛散した場合、再度処理を行う必要があり、効率が悪くなるばかりでなく試液が無駄になる。また、試液の液体が水ではなくアルコール等の可燃性液体の場合、飛散した液体が問題になる。
【０００７】
本発明は、前記従来の問題に鑑みてなされたものであって、その目的は、先端にフィルタを取り付けたシリンジを用いて液体の濾過を行う際、シリンジがフィルタから外れることを防止することができるシリンジ濾過作業用補助具を提供することにある。
【課題を解決するための手段】
【０００８】
前記の目的を達成するため、請求項１に記載の発明は、液体中に混入している異物を、先端に少なくとも１個のフィルタが取り付けられたシリンジを用いて濾過する際に用いるシリンジ濾過作業用補助具である。そして、支持部材と、前記支持部材に設けられ、前記フィルタが取り付けられたシリンジのフランジの上面と係合してその移動を規制するとともに、前記シリンジに挿入されているプランジャの一部が収容される収容溝を有する上側規制部材と、前記支持部材に設けられ、前記シリンジに取り付けられた前記フィルタの下面と係合してその移動を規制するとともに、前記フィルタの出口ノズルの一部が収容される収容溝を有する下側規制部材とを備えている。
【０００９】
ここで、「シリンジのフランジの上面」とは、フランジのプランジャ挿入側の面を意味する。また、「フィルタの下面」とは、シリンジに取り付けられたフィルタが１個の場合はそのフィルタのシリンジに対応する側の面と反対側の面を意味し、フィルタが複数個の場合はシリンジから最も離れたフィルタのシリンジに対応する側の面と反対側の面を意味する。
【００１０】
シリンジ濾過作業用補助具を使用する際は、先端に少なくとも１個のフィルタが取り付けられ、濾過すべき液体を収容した状態のシリンジは、フランジの上面が上側規制部材に係合し、フィルタの下面が下側規制部材に係合した状態で支持部材に支持される。その状態でプランジャがシリンジ内に押し込まれると、シリンジ内が加圧され、液体は不純物がフィルタで濾過されて濾液が容器に回収される。プランジャがシリンジ内に押し込まれることにより、液体がフィルタを通過して濾過される際に、フィルタにおける抵抗が大きくなり、シリンジ内及びフィルタ内の圧力が上昇する。フィルタ内の圧力が上昇すると、フィルタに対してはフィルタを押し下げる力が作用し、シリンジに対してはシリンジを押し上げる力が作用する。しかし、フィルタは下面が下側規制部材に係合して下方への移動が規制され、シリンジはフランジの上面が上側規制部材に係合して上方への移動が規制される。したがって、フィルタ内の圧力が上昇しても、シリンジがフィルタから外れることを防止することができる。
【００１１】
請求項２に記載の発明は、請求項１に記載の発明において、前記支持部材には、前記シリンジに取り付けられたフィルタの前記シリンジとの接続部の側面と係合してその横方向への移動を規制する接続部側面規制部材が設けられている。液体の濾過時に作業者がプランジャをシリンジ内に押し込む際、プランジャを真っ直ぐ押し込まずに、シリンジに斜めの力が作用するように押し込む場合もある。その際、接続部側面規制部材がフィルタのシリンジとの接続部の側面に係合することにより、接続部が横方向へ移動するのが規制され接続部に無理な力が作用するのが抑制される。
【００１２】
請求項３に記載の発明は、請求項１又は請求項２に記載の発明において、前記支持部材は、前記シリンジを支持する状態で自立可能な形状に形成されている。したがって、この発明では、濾過作業を行なう際、作業者はシリンジや支持部材等を支持せずに、プランジャをシリンジに押し込む作業をするだけで、液体中に混入している異物を濾過することができ、支持部材が自立可能でない場合に比べて濾過作業が簡単になる。
【発明の効果】
【００１３】
本発明によれば、先端にフィルタが取り付けられたシリンジを用いて液体の濾過を行う際に、シリンジがフィルタから外れることを防止することができるシリンジ濾過作業用補助具を提供することができる。
【図面の簡単な説明】
【００１４】
【図１】（ａ）はシリンジ濾過作業用補助具の斜視図、（ｂ）はシリンジ濾過作業用補助具にシリンジを取り付けた状態の側面図、（ｃ）は同じく正面図。
【図２】（ａ）は作用を説明する正面図、（ｂ）はシリンジの上側への移動が規制されない構成の作用を説明する斜視図。
【図３】（ａ），（ｂ）はシリンジ濾過作業用補助具の別の実施形態の側面図、（ｃ）は別の実施形態の収容溝の形状を示す平面図。
【図４】（ａ），（ｂ）は別の実施形態のシリンジ濾過作業用補助具の側面図。
【図５】従来技術の加圧濾過装置の使用状態を示す斜視図。
【発明を実施するための形態】
【００１５】
以下、本発明を具体化した一実施形態を図１及び図２にしたがって説明する。
図１（ａ）に示すように、シリンジ濾過作業用補助具１０は、支持部材１１と、支持部材１１の所定位置にそれぞれ設けられた上側規制部材１２と、下側規制部材１３と、接続部側面規制部材１４とを備えている。支持部材１１は、シリンジ濾過作業用補助具１０が図１（ｂ），（ｃ）に示すように、先端に２個のフィルタ２２，２３が取り付けられたシリンジ２１を支持する状態で自立可能となるように、下部１１ａが各規制部材１２，１３，１４と平行に延びる状態に形成されている。シリンジ２１には少なくとも１個のフィルタが取り付けられていればよいが、この実施形態では２個のフィルタ２２，２３が取り付けられており、フィルタ２２は固形物濾過用フィルタであり、フィルタ２３は脱脂用フィルタである。
【００１６】
上側規制部材１２は、フィルタ２２，２３が取り付けられたシリンジ２１のフランジ２１ａの上面と係合してその移動を規制するとともに、シリンジ２１に挿入されているプランジャ２４の一部が収容される収容溝１２ａを有する。下側規制部材１３は、シリンジ２１に取り付けられたフィルタ２２の下面と係合してその移動を規制するとともに、フィルタ２２の出口ノズル２２ａの一部が収容される収容溝１３ａを有する。接続部側面規制部材１４は、シリンジ２１に取り付けられたフィルタ２３のシリンジ２１との接続部２３ａの側面と係合してその横方向への移動を規制するとともに、接続部２３ａの一部が収容される収容溝１４ａを有する。
【００１７】
各規制部材１２，１３，１４は、側面Ｌ字状に形成されるとともに、支持部材１１に固定される部分が下側に延びる状態で固定されている。各規制部材１２，１３，１４には支持部材１１の所定位置に形成された各一対の孔と対向するように一対のねじ孔が形成され、支持部材１１の背面側から孔を貫通してねじ孔に螺合するねじ１５により支持部材１１に締め付け固定されている。
【００１８】
各収容溝１２ａ，１３ａ，１４ａは、支持部材１１と直交する方向に延びるように形成されている。シリンジ２１のフランジ２１ａは外形が楕円状に形成され、上側規制部材１２がフランジ２１ａの全体を支承可能に、収容溝１２ａの長さが前記楕円の短軸の長さより長く形成されている。収容溝１２ａの幅はプランジャ２４の外径より若干大きく形成されている。収容溝１３ａの幅はフィルタ２２の出口ノズル２２ａの外径より若干大きく形成されている。収容溝１４ａの幅は接続部２３ａの外径より若干大きく形成されている。また、シリンジ２１の射出部２１ｂはシリンジ２１の中心位置ではなく偏心した位置に形成されている。
【００１９】
規制部材１２，１３，１４及び支持部材１１の材質としては、強度面でステンレスなどの金属製が良いと考えられるが、金属製に限らず、プラスチック製や木製、セラミック製等でも良い。
【００２０】
次に前記のように構成されたシリンジ濾過作業用補助具１０の作用を説明する。
シリンジ濾過作業用補助具１０を使用する際は、図１（ｂ），（ｃ）に示すように、先端に２個のフィルタ２２，２３が取り付けられたシリンジ２１に、濾過すべき液体を収容した状態で、そのシリンジ２１をフランジ２１ａの上面が上側規制部材１２に係合し、フィルタ２２の下面が下側規制部材１３に係合した状態で支持部材１１に支持させる。このとき、フィルタ２３の接続部２３ａの一部が接続部側面規制部材１４の収容溝１４ａに収容された状態になる。また、出口ノズル２２ａの下方に濾液を回収する容器２５が配置される。この状態で作業者の手作業によりプランジャ２４がシリンジ２１内に押し込まれると、液体がフィルタ２２，２３内に押し込まれ、液体は脂肪分がフィルタ２３で、固形物がフィルタ２２で濾過されて濾液が容器２５に回収される。
【００２１】
図２（ａ）に示すように、プランジャ２４に矢印方向に力が加えられ、プランジャ２４がシリンジ２１内に押し込まれると、液体がフィルタ２３，２２を順に通過して濾過される際に、フィルタ２２，２３における抵抗が大きくなり、シリンジ２１内及びフィルタ２２，２３内の圧力が上昇する。シリンジ２１内の圧力が上昇すると、フィルタ２２，２３に対してはフィルタ２２，２３を押し下げる力が作用し、フィルタ２２，２３内の圧力が上昇するとシリンジ２１に対してはシリンジ２１を押し上げる力が作用する。このとき、図２（ａ）に示すように、フィルタ２２は下面が下側規制部材１３に係合して下方への移動が規制され、シリンジ２１はフランジ２１ａの上面が上側規制部材１２に係合して上方への移動が規制される。したがって、シリンジ２１内及びフィルタ２２，２３内の圧力が上昇しても、シリンジ２１がフィルタ２３から外れることは防止される。一方、特許文献１の場合は、図２（ｂ）に示すように、シリンジ５１はその上側への移動を規制する部材が存在しないため、フィルタ５２内の圧力上昇が大きくなると、シリンジ５１がフィルタ５２から外れる場合がある。
【００２２】
シリンジ２１をシリンジ濾過作業用補助具１０に取り付ける際は、プランジャ２４、出口ノズル２２ａ及び接続部２３ａが各規制部材１２，１３，１４の収容溝１２ａ，１３ａ，１４ａの開口と対応する位置から、支持部材１１側に向かって移動させることにより、所定位置に配置される。そのため、特許文献１のようにシリンジを濾過装置の上方から保持棚の開口に挿入する構成と異なり、フィルタ２２，２３の外径がシリンジ２１の外径より大きくてもシリンジ濾過作業用補助具１０に取り付けることができる。
【００２３】
この実施形態によれば、以下に示す効果を得ることができる。
（１）シリンジ濾過作業用補助具１０は、液体中に混入している異物を、先端に少なくとも１個のフィルタが取り付けられたシリンジ２１を用いて濾過する際に用いられ、支持部材１１と、支持部材１１に設けられた上側規制部材１２と、下側規制部材１３とを備えている。上側規制部材１２は、シリンジ２１のフランジ２１ａの上面と係合してその移動を規制するとともに、シリンジ２１に挿入されているプランジャ２４の一部が収容される収容溝１２ａを有する。下側規制部材１３は、シリンジ２１に取り付けられたフィルタ２２の下面と係合してその移動を規制するとともに、フィルタ２２の出口ノズル２２ａの一部が収容される収容溝１３ａを有する。したがって、先端にフィルタ２２，２３を取り付けたシリンジ２１を用いて液体の濾過を行う際に、シリンジ２１がフィルタ２３から外れることを防止することができる。また、特許文献１の濾過装置と異なり、フィルタ２２，２３の外径がシリンジ２１の外径より大きくても、フィルタ２２，２３が取り付けられたシリンジ２１をシリンジ濾過作業用補助具１０に支障なく取り付けることができる。
【００２４】
（２）支持部材１１には、シリンジ２１に取り付けられたフィルタ２３のシリンジ２１との接続部２３ａの側面と係合してその横方向への移動を規制する接続部側面規制部材１４が設けられている。液体の濾過時に作業者がプランジャ２４をシリンジ２１内に押し込む際、プランジャ２４を真っ直ぐ押し込まずに、シリンジ２１に斜めの力が作用するように押し込む場合もある。その際、接続部側面規制部材１４がフィルタ２３のシリンジ２１との接続部２３ａの側面に係合することにより、接続部２３ａが横方向へ移動するのが規制され接続部２３ａに無理な力が作用するのが抑制される。
【００２５】
（３）支持部材１１は、シリンジ２１を支持する状態で自立可能な形状に形成されている。したがって、濾過作業を行なう際、作業者はシリンジ２１や支持部材１１等を支持せずに、プランジャ２４をシリンジ２１に押し込む作業をするだけで、液体中に混入している異物を濾過することができ、支持部材１１が自立可能でない場合に比べて濾過作業が簡単になる。
【００２６】
（４）支持部材１１は下部１１ａが規制部材１２，１３，１４と平行に延びる状態に形成されている。したがって、支持部材１１がシリンジ２１を支持する状態で自立可能にする構成が簡単になる。
【００２７】
（５）各規制部材１２，１３，１４は側面Ｌ字状に形成されるとともに、ねじ１５により支持部材１１に固定されている。したがって、各規制部材１２，１３，１４を平板で形成して、その基端において接着剤や溶接で固定する場合に比べて精度良く固定するのが簡単で強度が高くなる。
【００２８】
（６）各規制部材１２，１３，１４の収容溝１２ａ，１３ａ，１４ａは、支持部材１１と直交する方向に延びるように形成されている。したがって、シリンジ２１をシリンジ濾過作業用補助具１０の所定位置に配置する際、シリンジ２１を支持部材１１の正面から真っ直ぐに移動させることにより簡単に所定位置に配置することができる。
【００２９】
実施形態は前記に限定されるものではなく、例えば、次のように具体化してもよい。
○  フィルタ２２及びフィルタ２３は、フィルタ２２が上側に、フィルタ２３が下側に配置されるようにシリンジ２１に取り付けられてもよい。この場合、フィルタ２３の下面が下側規制部材１３に係合し、フィルタ２２の接続部が接続部側面規制部材１４と係合する。
【００３０】
○  シリンジ２１に取り付けられるフィルタは少なくとも１個であればよく、２個に限らず、１個としたり、３個以上としたりしてもよい。例えば、１個の固形物濾過用のフィルタ２２あるいは脱脂用のフィルタ２３のみをシリンジ２１に取り付けてもよい。また、他の不純物濾過用のフィルタと固形物濾過用のフィルタ２２あるいは脱脂用のフィルタ２３とを組み合わせてもよい。
【００３１】
○  シリンジ濾過作業用補助具１０は自立状態で使用される構成ではなく、支持部材１１が支持台に固定された状態や、作業者がシリンジ濾過作業用補助具１０を手で保持した状態で使用される構成であってもよい。作業者がシリンジ濾過作業用補助具１０を手で保持した状態で使用される構成としては、例えば、図３（ａ）に示すように、平板状に形成された支持部材１１に各規制部材１２，１３，１４が固定された構成や、図３（ｂ）に示すように、上側規制部材１２及び下側規制部材１３が支持部材１１の端部を屈曲させて一体に形成された構成がある。
【００３２】
○  シリンジ濾過作業用補助具１０がプランジャ２４をシリンジ２１に押し込む際にも自立状態に維持される構成は、支持部材１１の下部１１ａが各規制部材１２，１３，１４と平行に延びる状態に形成された構成に限らない。例えば、図４（ａ）に示すように、支持部材１１の下部１１ａを前側に屈曲した後、後側に屈曲した形状にしたり、図４（ｂ）に示すように、支持部材１１の下部１１ａを後側に屈曲形成するとともに、下部１１ａを支持台１６に固定した構成としたりしてもよい。また、支持部材１１の下部１１ａを屈曲させずに支持台１６に固着した構成にしてもよい。
【００３３】
○  各規制部材１２，１３，１４の収容溝１２ａ，１３ａ，１４ａは、支持部材１１と直交する方向に延びる形状に限らない。例えば、図３（ｃ）に示すように、収容溝１２ａ等が円弧状に形成されて、シリンジ２１がシリンジ濾過作業用補助具１０に対してその側方から取り付けられる構成としたり、収容溝１２ａ等が斜めやＬ字状に延びるよう形成された構成としたりしてもよい。
【００３４】
○  各規制部材１２，１３，１４は、ねじ１５により支持部材１１に固定される代わりに溶接や接着剤で支持部材１１に固定されてもよい。また、各規制部材１２，１３，１４は、側面Ｌ字状に限らず、平板状に形成されて基端が溶接や接着剤で支持部材１１に固定されてもよい。
【００３５】
○  上側規制部材１２及び下側規制部材１３は必須であるが、接続部側面規制部材１４は省略してもよい。
○  シリンジ２１内の液体をプランジャ２４で押し出して、フィルタ２２等を通過させることにより液体中の不純物を濾過する方法に限らず、シリンジ２１内からプランジャ２４を引き出す際の吸引力により、液体を、フィルタ２２等を通過させてシリンジ２１内に吸入することにより液体中の不純物を濾過する方法に適用してもよい。
【００３６】
○  シリンジ２１は、フランジ２１ａの外形を円形状にしたり、射出部２１ｂを偏心位置ではなく中心位置に形成したりしてもよい。
○  シリンジ濾過作業用補助具１０は１本のシリンジ２１を支持する構成に限らず、複数本のシリンジ２１を支持して複数本同時にあるいは１本ずつシリンジ２１内の液体をプランジャ２４でフィルタ２２，２３を経て容器２５へ押し出すようにしてもよい。
【００３７】
以下の技術的思想（発明）は前記実施形態から把握できる。
（１）請求項３に記載の発明において、前記支持部材は下部が前記規制部材と平行に延びる状態に形成されている。
【００３８】
（２）請求項１〜請求項３及び前記技術的思想（１）のいずれか１項に記載の発明において、前記規制部材は側面Ｌ字状に形成されるとともに、前記支持部材に固定される部分がねじにより支持部材に固定されている。
【符号の説明】
【００３９】
１０…シリンジ濾過作業用補助具、１１…支持部材、１２…上側規制部材、１２ａ，１３ａ，１４ａ…収容溝、１３…下側規制部材、１４…接続部側面規制部材、２１…シリンジ、２１ａ…フランジ、２２，２３…フィルタ、２２ａ…出口ノズル、２３ａ…接続部、２４…プランジャ。
【図１】
2012055873.tif 000003
【図２】
2012055873.tif 000004
【図３】
2012055873.tif 000005
【図４】
2012055873.tif 000006
【図５】
2012055873.tif 000007